(57)【要約】【課題】布団綿の処理あるいは処分を環境に悪影響を与えないでかつ簡単に行える処理方法を提供すること。【解決手段】古い綿布団の綿を打ち直し機に掛けて連続的な綿シートを形成し、この綿シートを地面上に敷設してからその上に散水して前記地面に対して均すとともに、この綿シートをそのまま自然環境下に置くことにより、雨水を吸収させるとともに前記地面中の微生物により生分解させるようにしたことを特徴とする古い綿布団の処理方法。【選択図】図１
2007105703.tif 000002
【特許請求の範囲】
【請求項１】
古い綿布団の綿を打ち直し機に掛けて連続的な綿シートを形成し、この綿シートを地面上に敷設してからその上に散水して前記地面に対して均すとともに、この綿シートをそのまま自然環境下に置くことにより、雨水を吸収させるとともに前記地面中の微生物により生分解させるようにしたことを特徴とする古い綿布団の処理方法。
【請求項２】
古い綿布団の綿を打ち直し機に掛けて形成した連続的な第１綿シートと、同様に形成されて前記第１綿シートより薄い第２綿シートと、これらの第１綿シート及び第２綿シートを接着剤なしで重ね合わせる際に挿入された植物種子とからなることを特徴とする植物苗形成シート。
【発明の詳細な説明】
【技術分野】
【０００１】
本発明は、古い綿布団の処理をする方法、及びこの処理方法を効果的に実施できる種籾シート等の植物苗形成シートに関するものである。
【背景技術】
【０００２】
近年、掛け布団と言えば「羽布団」あるいは「羽毛布団」が主流になりつつあり、古来より使用されてきた「綿掛け布団」は、「重い」という理由で減少傾向にある。一方、「敷き布団」についても、マットレス等の種々な製品が開発されてきている現状では、「綿製」の敷き布団は影を薄くしつつある。そして、「綿布団」は、長く使用すればする程風合いが落ちて堅くなる性質を持っている。
【０００３】
そうなると、以前から使用されてきて古くなった「綿布団」は、上述したような新しい布団に取って代わられつつあり、古い布団は言わば「ゴミ」となりつつある。何故なら、従来であれば、古い綿布団は、「打ち直し機」に掛けてふんわりとした風合いを戻して再使用するようにしていたのであるが、近年では、上述したような新しい材料の布団の方が好まれるようになってきているからである。
【０００４】
ゴミとなった古い綿布団は、当然何らかの方法で処分しなければならないが、焼却処分するか、特許文献１に示されているような破砕機（図３参照）に掛けて埋設処分し易いように粉砕することがなされている。ところが、布団綿は、これが固まったままの状態であると酸素の供給がうまく行かないため、燃焼速度が非常に遅く燃焼しにくいものであるし、粉砕するにしても繊維が複雑に絡まった柔らかい「綿」であると、特許文献１の段落０００３に示されているように、「じゅうたん類やヒモ状のものが巻き付いて破砕部の回転力がひき込まれ力となったり、冷蔵庫，洗濯機等の大型ごみが２軸間にくい込んで回転が止まり破砕不能となったりするので、正逆回転を頻繁に繰り返すことになり、効率の悪いものであった」ことになり、粉砕も困難なものである。
【０００５】
そこで、特許文献２及び特許文献３にて提案されているような、「種子入り簡易水耕苗床」及び「稲の育苗用不織布及びその製造方法」を利用することによって、このやっかいな布団綿の処分を行うことが考えられる。
【特許文献１】特開平０７−３９７７７号公報、代表図、段落０００３
【特許文献２】特開平１１−２７５９８９号公報、要約、代表図
【特許文献３】特開２００１−６４８６２号公報、要約、代表図
【発明の開示】
【発明が解決しようとする課題】
【０００６】
特許文献２の「種子入り簡易水耕苗床」は、図４にも示すように、「有機繊維質の綿状束に種子が挿入され、該綿状束に水溶性紙が巻かれた種子入り簡易苗床と、種子入り簡易苗床を嵌合して保持するための嵌合孔が設けられ、種子入り簡易苗床を嵌合孔に嵌合して種子入り簡易苗床を保持し、水に浸漬した際には、水面で種子入り簡易苗床を支持するための平板状かつ軽質の苗床支持部材７とで種子入り簡易水耕苗床６を構成し、水または水に液肥等を加えた水耕培地に浸漬して水耕栽培を行う」ようにしたものであるが、「水溶性紙が巻かれた種子入り簡易苗床」を用意する必要があって、布団綿の処分あるいは処理を行うには、少し不都合である。
【０００７】
一方、特許文献３の「稲の育苗用不織布及びその製造方法」は、当該文献の要約からすると、「この育苗用不織布は、コットンリンター及び生分解性繊維（但し、コットンリンターを除く。）相互間が密集すると共に絡み合ってなる連続区域と、この連続区域に囲まれて孤立して存在する多数の開孔区域とよりなる。コットンリンターの平均繊維長は５ｍｍ以下であり、生分解性繊維の平均繊維長は４０ｍｍ以下であるのが好ましい。一個の開孔区域の面積は０．９〜２５ｍｍ2であり、育苗用不織布中における全開孔区域の面積割合は５〜７０％であるのが好ましい。また、育苗用不織布の長手方向の引張強力は１ｋｇ／５ｃｍ幅以上であり、幅方向の引裂強力は２００ｇ以下であるのが好ましい。生分解性繊維としては、木綿，レーヨン短繊維，ポリ乳酸系短繊維又は脂肪族ポリエステル系短繊維等が用いられる。」ものであり、この育苗用不織布は、「コットンリンター及びコットンリンターを除く生分解性繊維」を使用するものであって、直接的に布団綿を処理するためのものではない。
【０００８】
そこで、本発明者等は、今後大量に出てくると思われる古くなった布団綿の処分を効果的にするにはどうしたらよいか、について種々検討を重ねてきた結果、布団綿は適宜に解してやれば「生分解性」に優れたものとなることに気付き、本発明を完成したのである。
【０００９】
すなわち、本発明の目的とするところは、布団綿の処理あるいは処分を環境に悪影響を与えないでかつ簡単に行える処理方法、及びこれを適用した植物苗形成シートを提供することにある。
【課題を解決するための手段】
【００１０】
以上の課題を解決するために、まず、請求項１に係る発明の採った手段は、後述する最良形態の説明中で使用する符号を付して説明すると、
「古い綿布団の綿を打ち直し機２０に掛けて連続的な綿シートを形成し、この綿シートを地面上に敷設してからその上に散水して前記地面に対して均すとともに、この綿シートをそのまま自然環境下に置くことにより、雨水を吸収させるとともに前記地面中の微生物により生分解させるようにしたことを特徴とする古い綿布団の処理方法」
である。
【００１１】
すなわち、この請求項１に係る発明は、布団を構成していた布団綿を、焼却や埋め立てではない方法によって処分する方法であり、自然環境に悪影響を与えない生分解させることを基調とするものである。
【００１２】
本発明の前提となるのは、まず、古い布団綿を打ち直し機２０に掛けて一定のシート状のものにすることである。打ち直し機２０としては、従来から使用されている「カード機」のようなもので十分であり、堅くなった古い布団綿を「解繊」できるものであればよい。
【００１３】
打ち直し機２０による布団綿の解繊が必要な理由は、種々な古い布団から出る綿を一定の厚さで、しかも地面上に敷設し易いシート状にする必要があるからである。もし、打ち直し機２０による解繊が行われないとすると、地面上に一定の厚さで敷設することが困難になって早期での「生分解」ができなくなり、連続的なシートにすることができない。また、解繊しないと、綿同士が固まったままとなるだけでなく必要以上に厚いものとなって、雨水の吸収や、土壌中の分解菌の全体への移住が困難となり、結果的に「生分解」を困難にする。
【００１４】
地面上に敷設した綿シートに対しては、これに散水する必要があるが、その理由は、散水することによって綿シートが吸水するから所定の重量が与えれて、地面表面の凹凸に馴染んで均すことができるからである。また、散水を吸水した綿シートは、当然のことながら着火しにくいものとなり、自然環境においたときに、例えば火がついいたまま捨てられたタバコの吸い殻が飛散してきたとしても、火がつくことがなく山火事等の火事の原因とはならない。勿論、このまたシートは打ち直し機２０によって解繊してあるから、雨水の吸収や土中の微生物のコロニー形成を促すことができるのである。
【００１５】
そして、このようにした綿シートを、畑や法面上に敷設してそのままにしておけば、土中の微生物によって生分解がなされ、基本的には水と炭酸ガスになる。つまり、自然環境に全く悪影響を与えることなく、古い布団綿の処理あるいは処分が、他のエネルギーを使用することなくなされることになるのである。
【００１６】
従って、この請求項１の処理方法によれば、布団綿の処理あるいは処分を環境に悪影響を与えないでかつ簡単に行えるのである。
【００１７】
以上の課題を解決するために、請求項２に係る発明の採った手段は、後述する最良形態の説明中で使用する符号を付して説明すると、
「古い綿布団の綿を打ち直し機２０に掛けて形成した連続的な第１綿シート１１と、同様に形成されて前記第１綿シート１１より薄い第２綿シート１２と、これらの第１綿シート１１及び第２綿シート１２を接着剤なしで重ね合わせる際に挿入された植物種子とからなることを特徴とする植物苗形成シート１０」
である。
【００１８】
すなわち、この請求項２に係るＬは、後述する最良形態の種籾シート１０に該当するものであり、上記請求項１の処理方法を現実的に実施するものである。そのために、このＬは、図１に示すように、第１綿シート１１と、これより少し薄い第２綿シート１２と、これらの第１綿シート１１及び第２綿シート１２間に挟持させた植物種子（後述の最良形態では種籾３０である）とからなっている。
【００１９】
第１綿シート１１及び第２綿シート１２は、図２に示すような打ち直し機２０を使用して、古い布団綿を打ち直す、つまり解繊することによって形成したものである。これらの第１綿シート１１及び第２綿シート１２の各幅は、元の古い布団の幅程度であるが、その各長さは、解繊することによって４〜７倍程度になっている。なお、第２綿シート１２は、基本的には種籾３０等の植物種子を押さえるものであるから、その厚さは、第１綿シート１１の１／５〜１／２程度でよい。
【００２０】
また、これらの第１綿シート１１及び第２綿シート１２は、それぞれ別の打ち直し機２０に掛けるとともに、形成された直後に、図１に示すように種籾３０を間に撒きながら一体化される。解繊されている第１綿シート１１及び第２綿シート１２は、綿繊維が毛羽立った状態になっているから、接着剤なしに互いに密着し合うものであり、また植物種子の保持も確実に行う。なお、第１綿シート１１を地面上に接する側とするのがよい。
【００２１】
第１綿シート１１及び第２綿シート１２の接着剤を使用しない一体化は、この種籾シート１０の生分解を自然環境に悪影響を与えないで行うためには非常に重要である。前述の特許文献２や３に示されたものは、不織布化するために所定の分散剤や繊維の絡まりを確保するための接着剤が必要であるが、これらの分散剤や接着剤は、植物や土壌に悪影響を与えるものが多い。その点、本発明のような種籾シート１０とすれば、これらの分散剤や接着剤が全く必要ないのであるから、植物や土壌に悪影響を与えることはない。
【００２２】
以上のように構成した種籾シート１０をそのまま地面上に敷設して散水しておけば、種子が発根して第１綿シート１１中に進入し、発芽は、第１綿シート１１より薄い第２綿シート１２を簡単に突き破って上方に伸び出ることになる。
【００２３】
なお、植物種子が最良形態におけるように種籾３０である場合には、この種籾シート１０を代掻きが済んだ田の上にそのまま広げれば、全く田植えを行わなくても済むし、散水する必要もない。勿論、苗の発芽後には、この種籾シート１０を構成していた第１綿シート１１及び第２綿シート１２は、生分解されてしまって田に悪影響を与えないだけでなく、未分解のものは苗の肥料ともなるので、当該種籾シート１０が問題になることは全くない。
【００２４】
従って、この請求項２に係る種籾シート１０は、布団綿の処理あるいは処分を環境に悪影響を与えないでかつ簡単に行えるものとなっているだけでなく、植物種子の苗床としても有効なものとなっているのである。
【発明の効果】
【００２５】
以上の通り、まず、請求項１に係る発明は、
「古い綿布団の綿を打ち直し機２０に掛けて連続的な綿シートを形成し、この綿シートを地面上に敷設してからその上に散水して前記地面に対して均すとともに、この綿シートをそのまま自然環境下に置くことにより、雨水を吸収させるとともに前記地面中の微生物により生分解させるようにしたことを特徴とする古い綿布団の処理方法」
にその特徴があり、これにより、布団綿の処理あるいは処分を環境に悪影響を与えないでかつ簡単に行えるのである。
【００２６】
また、請求項２に係る種籾シート１０は、
「古い綿布団の綿を打ち直し機２０に掛けて形成した連続的な第１綿シート１１と、同様に形成されて前記第１綿シート１１より薄い第２綿シート１２と、これらの第１綿シート１１及び第２綿シート１２を接着剤なしで重ね合わせる際に挿入された植物種子とからなること」
に特徴があり、これにより、布団綿の処理あるいは処分を環境に悪影響を与えないでかつ簡単に行えるものとなっているだけでなく、植物種子の苗床としても有効な縮物苗形成シート１０を提供することができる。
【発明を実施するための最良の形態】
【００２７】
次に、以上のように構成した各請求項に係る発明を、図面に示した最良の形態に基づいて説明するが、請求項１に係る処理方法は、請求項２のＬである種籾シート１０によって具体的に実施し得るので、以下では、この種籾シート１０を中心に説明することとする。
【００２８】
すなわち、この最良形態のＬは、植物種子として種籾３０を採用していて種籾シート１０としたものであり、上記請求項１の処理方法を現実的に実施するものである。そのために、この種籾シート１０は、図１に示したように、第１綿シート１１と、これより少し薄い第２綿シート１２と、これらの第１綿シート１１及び第２綿シート１２間に挟持させた種籾３０とから構成してある。
【００２９】
第１綿シート１１及び第２綿シート１２は、図２に示したような打ち直し機２０を使用して、古い布団綿を打ち直す、つまり解繊することによって形成したものである。打ち直し機２０は、表皮を剥いだ布団綿を連続的に投入することによって、布団綿の解繊を行うものであり、常に連続的で一定の厚さの第１綿シート１１または第２綿シート１２を、図２に示したコンベア２１上に排出することができるようにしたものである。
【００３０】
これらの第１綿シート１１及び第２綿シート１２の各幅は、元の古い布団の幅程度であるが、その各長さは、解繊することによって４〜７倍程度にしてある。なお、第２綿シート１２は、基本的には種籾３０等の植物種子を押さえるものであるから、その厚さは、第１綿シート１１の１／５〜１／２程度のものである。なお、布団は、約２ｍ程度の長さのものとして分断されているが、これを連続的に打ち直し機２０に掛ければ、第１綿シート１１や第２綿シート１２は連続的なものに形成できる。
【００３１】
また、これらの第１綿シート１１及び第２綿シート１２は、それぞれ別の打ち直し機２０に掛けるとともに、形成された直後に、図１に示したように、籾撒機３１によって種籾３０を間に撒きながら一体化される。解繊されている第１綿シート１１及び第２綿シート１２は、綿繊維が毛羽立った状態になっているから、接着剤なしに互いに密着し合うものであり、また種籾３０の保持も確実に行う。
【００３２】
第１綿シート１１及び第２綿シート１２の接着剤を使用しない一体化は、この種籾シート１０の生分解を自然環境に悪影響を与えないで行うためには非常に重要である。つまり、本発明のような接着剤がない種籾シート１０とすれば、接着剤等による植物や土壌への悪影響がないことになる。
【００３３】
なお、一体化された第１綿シート１１及び第２綿シート１２は、図１の左方部分に示したようにロール状に巻回されるが、このときに互いにくっつき合わないようにするために、分離紙１３が介在される。また、この種籾シート１０は、その第１綿シート１１側を地面上に接する部分とするのがよい。
【００３４】
以上のように構成した種籾シート１０をそのまま地面上に敷設して散水しておけば、種子が発根して第１綿シート１１中に進入し、発芽は、第１綿シート１１より薄い第２綿シート１２を簡単に突き破って上方に伸び出ることになる。
【産業上の利用可能性】
【００３５】
本発明に係る種籾シート１０は、布団綿の処理を自然環境に悪影響を与えることなく行えることは勿論、田植え作業の省略をも果たすことができて、農業にも役立つものである。
【図面の簡単な説明】
【００３６】
【図１】本発明に係る種籾シートの分解側面図である。
【図２】同種籾シートを形成するための打ち直し機の斜視図である。
【図３】従来技術を示す縦断面図である。
【図４】従来の他の技術を示す縦断面図である。
【符号の説明】
【００３７】
１０    種籾シート
１１    第１綿シート
１２    第２綿シート
１３    分離紙
２０    打ち直し機
２１    コンベア
３０    種籾
３１    籾撒機
【図１】
2007105703.tif 000003
【図２】
2007105703.tif 000004
【図３】
2007105703.tif 000005
【図４】
2007105703.tif 000006